(57)【特許請求の範囲】
【請求項１】
外壁上端ファスナを外壁パネルの裏面側の上端部に固定するとともに、この外壁上端ファスナの上方に梁ファスナを配置し、上記外壁上端ファスナと上記梁ファスナとをジョイントボルト及びそれに螺合するナットで連結するとともに、上記梁ファスナを建物の梁の下部に固定することにより、上記梁下方で上記外壁パネルを上記梁に取り付ける一方、
上記外壁パネルの裏面側の下端部の幅方向に沿って埋め込まれた断面略Ｃ字型のＣレールに、Ｃレール固定ボルトの係合部を移動自在に嵌合し、上記Ｃレール固定ボルトの雄ねじ部に、断面Ｌ字型の外壁下端ファスナをその裏面側に上記Ｃレールのリップを取り囲むように４つの突起が形成されてなる垂直部に設けた孔で嵌合してナットを螺合することにより固定するとともに、この外壁下端ファスナの水平部に設けた孔に、基礎の上面に固定された基礎上ファスナの垂直方向の軸部を上下動可能に嵌合したことを特徴とする梁下方の外壁パネルの取付構造。
【請求項２】
上記梁ファスナは、上記ジョイントボルト及びナットで外壁上端ファスナと連結される第１水平部と、第１水平部の一端から垂直に立ち上がる垂直部と、垂直部の上端から水平方向に折れ曲がり、上記梁の下部に固定される第２水平部とにより屈曲状に形成されたことを特徴とする請求項１記載の梁下方の外壁パネルの取付構造。
【発明の詳細な説明】
【０００１】
【産業上の利用分野】
本発明は、住宅等の建物における梁下方の外壁パネルの取付構造に関するものである。
【０００２】
【従来の技術】
従来、住宅の外壁パネルの上端部をＨ型鋼等でなる梁に取り付ける場合、例えば、上記外壁パネルの裏面側の上端部及び梁に各々ファスナ（ブラケット）を取り付け、これらのパネル側及び梁側のファスナ同士を、例えば、ボルト及びナットで連結するようにしていた。上記梁側のファスナは梁の上部、梁がＨ型鋼であれば、その上フランジに固定するのが一般的であるが、例えば、住宅の２階にバルコニーを設け、且つこのバルコニーが１階の上部まで張り出すような箇所では、このバルコニーの下方に位置する１階の外壁パネルは、スペース上の制約から１階の外壁上端部における梁の下部、梁がＨ型鋼であれば、その下フランジに接続するようにしていた。
【０００３】
【発明が解決しようとする課題】
ところが、上記のように、外壁パネルの上端部をファスナ類を介して梁の下部に固定した場合、上記梁に対する外壁パネルの上下位置の調整が困難になり、その結果、例えば、隣接する外壁パネルの上端部の位置が不揃いになって見栄えが悪くなる等の問題を有していた。又、地震の際に外壁パネルと梁、つまり、住宅の鉄筋鉄骨構造とが一体的に振動するので、外壁パネルの剥離や脱落が生じ易くなる問題があった。
【０００４】
【課題を解決するための手段】
本発明は前記の課題を解決して、梁下方で外壁パネルを上下位置の調整可能に取り付けることのできる梁下方の外壁パネルの取付構造を提供することを目的としている。
そのため、請求項１の外壁パネルの取付構造は、外壁上端ファスナを外壁パネルの裏面側の上端部に固定するとともに、この外壁上端ファスナの上方に梁ファスナを配置し、上記外壁上端ファスナと上記梁ファスナとをジョイントボルト及びそれに螺合するナットで連結するとともに、上記梁ファスナを建物の梁の下部に固定することにより、上記梁下方で上記外壁パネルを上記梁に取り付ける一方、上記外壁パネルの裏面側の下端部の幅方向に沿って埋め込まれた断面略Ｃ字型のＣレールに、Ｃレール固定ボルトの係合部を移動自在に嵌合し、上記Ｃレール固定ボルトの雄ねじ部に、断面Ｌ字型の外壁下端ファスナをその裏面側に上記Ｃレールのリップを取り囲むように４つの突起が形成されてなる垂直部に設けた孔で嵌合してナットを螺合することにより固定するとともに、この外壁下端ファスナの水平部に設けた孔に、基礎の上面に固定された基礎上ファスナの垂直方向の軸部を上下動可能に嵌合したことを特徴とするものである。
【０００５】
上記の取付構造では、外壁パネルの上端部が上記梁から梁ファスナ、ジョイントボルト・ナット及び外壁上端ファスナを介して吊り下げ状態で支持される。この状態で、梁に対する外壁パネルの上下位置を、ジョイントボルトに対するナットの螺合位置を変更することにより、調整することが可能である。又、外壁上端ファスナが梁ファスナに対して上下動自在であるから、地震の際には、外壁パネルが梁、つまり、建物本体とは独立して振動することができる。
【０００６】
請求項２の外壁パネルの取付構造は、請求項１の構成において、上記梁ファスナは、上記ジョイントボルト及びナットで外壁上端ファスナと連結される第１水平部と、第１水平部の一端から垂直に立ち上がる垂直部と、垂直部の上端から水平方向に折れ曲がり、上記梁の下部に固定される第２水平部とにより屈曲状に形成されたことを特徴とするものである。
【０００７】
ここでは、梁ファスナの第１水平部を、梁の下部に固定される第２水平部より下方に位置させたので、ジョイントボルトやそれに螺合するナットを上記梁より下方に配置して、梁との干渉を回避することができる。
【０００８】
【発明の実施の形態】
以下、本発明の実施の形態を図面に基いて説明する。図１に示すように、例えば、３階建ての住宅Ｈの外壁は、各階毎の外壁Ｗ１乃至Ｗ３に分割され、各階の外壁Ｗ１乃至Ｗ３は、各々複数の外壁パネルを横方向に並べて構成されている。その内、１階の外壁パネルは、例えば、一般パネル１ａ、及び２階のバルコニーＢの下方に位置する梁下パネル１ｂにより構成され、上記バルコニーＢが１階の上部まで張り出しているため、梁下パネル１ｂの上下方向寸法は、一般パネル１ａの上下方向寸法より小さくなっている。
【０００９】
２階の外壁パネルは、例えば、一般パネル２ａ、窓上パネル２ｂ、窓下パネル２ｃ、開口付パネル２ｄ及びバルコニーＢにおける腰壁パネル２ｅにより構成され、３階の外壁パネルは、例えば、パラペット部に至る長い一般パネル３ａ及び傾斜部Ａにおける傾斜パネル３ｂ等により構成されている。
【００１０】
ここでは、特に、バルコニーＢの下方に配置される１階の梁下パネル１ｂ（外壁パネル）及びその取付構造につき説明する。図２及び図３に示すように、梁下パネル１ｂは、必要により、図示しない鉄筋が内蔵されたコンクリート板等からなり、この梁下パネル１ｂの表面側には、縦横の溝によって区画された多数の凸部４が形成されている。図２及び図３以外の各図では、簡単のため、凸部４の図示を省略している。なお、凸部４の形状は、図示以外のものでもよく、凸部４の存在しない無地の外壁パネルであってもよい。
【００１１】
図４に示すように、梁下パネル１ｂの裏面側には、その上端部の左右両側に金属製のインサートナット５が埋め込まれ、このインサートナット５には、雌ねじ５ａが形成されている。又、梁下パネル１ｂの裏面側の下端部の幅方向に沿って、断面略Ｃ字型の金属製のＣレール６が埋め込まれている。
【００１２】
次に、１階の外壁Ｗ１における梁下パネル１ｂの取付構造につき説明する。図５及び図６に示すように、梁下パネル１ｂの上端部を住宅側の梁７（Ｈ型鋼）への取り付けるには、断面Ｌ字型の外壁上端ファスナ８と、屈曲状の梁ファスナ１０と、ジョイントボルト１１とを使用する。外壁上端ファスナ８は、孔８ａを有する垂直部８ｂと、第１挿通孔８ｃを有する水平部８ｄとからなる。
【００１３】
一方、梁ファスナ１０は、第２挿通孔１０ａが設けられた第１水平部１０ｂと、第１水平部１０ｂの一端から折れ曲がって垂直に立ち上がる垂直部１０ｃと、垂直部１０ｃの上端から水平に折れ曲がり、孔１０ｄが設けられた第２水平部１０ｅとを有し、梁７の下フランジ７ａ（下部）には、孔１０ｄに対応する孔７ｂが形成されている。
【００１４】
梁下パネル１ｂの上端部を梁７に取り付ける際には、まず、梁下パネル１ｂの裏面側の上端部の左右両側に、前記外壁上端ファスナ８をボルト１２により固定する。すなわち、外壁上端ファスナ８の垂直部８ｂの孔８ａにボルト１２を通過させ、このボルト１２を前記インサートナット５（図５では図示省略）に螺合する。
【００１５】
続いて、外壁上端ファスナ８の上方に梁ファスナ１０を配置し、ジョイントボルト１１を外壁上端ファスナ８の下方から第１挿通孔８ｃ及び梁ファスナ１０の第２挿通孔１０ａを挿通させ、梁ファスナ１０の上部でナット１３に螺合させることにより、外壁上端ファスナ８と梁ファスナ１０とをジョイントボルト１１及びナット１３を用いて連結する。
【００１６】
次に、住宅Ｈの１階の外壁上端部に位置する前記梁７の下フランジ７ａの下面に梁ファスナ１０の第２水平部１０ｅを沿わせ、第２水平部１０ｅ及び下フランジ７ａの対応する孔１０ｄ及び７ｂを貫通するボルト１４及びナット１５により梁ファスナ１０の第２水平部１０ｅを梁７の下フランジ７ａに固定する。
【００１７】
この状態で、梁ファスナ１０の第１水平部１０ｂの上面側にナット１３が当接し、外壁上端ファスナ８の水平部８ｄの下面側にジョイントボルト１１の大径の頭部１１ａが当接することにより、図７のように、下フランジ７ａが梁７の下部から吊り下げ状態で支持される。そして、ナット１３を所望の方向へ回転させて、ジョイントボルト１１に対するナット１３の螺合位置を調整することにより、梁７に対する梁下パネル１ｂの上下位置を調整することができる。ここでは、屈曲状の梁ファスナ１０を用いているので、ジョイントボルト１１の上端が梁７の下フランジ７ａより下方に位置し、梁７と直交する方向に延びる図示しない梁とジョイントボルト１１とが干渉することがない。
【００１８】
図８及び図９に１階の梁下パネル１ｂの下端部の支持構造を示す。ここでは、梁下パネル１ｂの下端部を基礎１６により支持させるようになっている。以下、詳細に説明すると、まず、梁下パネル１ｂの裏面側の下端部に埋め込まれた前記Ｃレール６に、Ｃレール固定ボルト１７の係合部１７ａを移動自在に嵌合する。
【００１９】
そして、このＣレール固定ボルト１７の雄ねじ部１７ｂに、断面Ｌ字型の外壁下端ファスナ１８をその垂直部１８ａに設けた孔１８ｂで嵌合し、上記垂直部１８ａの外側で雄ねじ部１７ｂにナット２０を螺合することにより、外壁下端ファスナ１８を梁下パネル１ｂに固定する。なお、図１０に示すように、外壁下端ファスナ１８の垂直部１８ａの裏面側には、Ｃレール６のリップを取り囲むように４つの突起１８ｅが形成され、これらの突起１８ｅにより、Ｃレール６に対する外壁下端ファスナ１８の回り止めが施されている。
【００２０】
一方、基礎１６の上面には、基礎上ファスナ２１をコンクリート摩擦アンカーボルト２２により固定し、この状態で、前記外壁下端ファスナ１８の水平部１８ｃに設けた孔１８ｄに基礎上ファスナ２１の垂直方向の軸部２１ａを嵌合することにより、梁下パネル１ｂの下端部を基礎１６によって、上下動可能且つ前後、左右動不能に支持させる。梁下パネル１ｂの下端部と基礎１６との間には、所定の隙間Ｅ（標準的には、例えば、１７．５ｍｍ程度）が設定されるが、この隙間Ｅの大きさは梁下パネル１ｂの寸法のばらつきや梁７に対する梁下パネル１ｂの上下位置の変動等に応じて若干変動する。
【００２１】
上記構成において、例えば、梁下パネル１ｂの上端部及び下端部は各々左右２点で支持されているが、図１１の略図に示すように、上端部における２つの支点Ｓ１、Ｓ２（ジョイントボルト１１）は各々、前記外壁上端ファスナ８と梁ファスナ１０間の間隔分だけ上方への変位が可能であり、一方、一般パネル１ａの下端部における２つの支点Ｓ３、Ｓ４は各々外壁下端ファスナ１８の孔１８ｄが基礎上ファスナ２１の軸部２１ａに対して上下動することができるので、地震時等に、層間変位が生じた場合で、梁下パネル１ｂは支点Ｓ１、Ｓ２が上方へ変位し、支点Ｓ３、Ｓ４が上下変位することにより、梁下パネル１ｂは、点線で示すように、全体として回転し、上記層間変位に追従することが可能である。そのため、層間変位に伴う梁下パネル１ｂの損傷や脱落等の不具合は生じにくい。
【００２２】
図１２に一般パネル１ａの下端部におけるＣレール固定ボルト１７の変形例を示す。このＣレール固定ボルト２３は、Ｃレール６に摺動自在に嵌合する係合部２３ａと、この係合部２３ａから突設される２つの雄ねじ部２３ｂとを有するとともに、外壁下端ファスナ２４の垂直部２４ａには、雄ねじ部２３ｂが挿通される２つの孔２４ｂが設けられている。ここでは、雄ねじ部２３ｂを２つ設けたので、前記外壁下端ファスナ１８のような回り止め用の突起１８ｅは不要となる。
【００２３】
【発明の効果】
以上のように、本発明の請求項１の梁下方の外壁パネルの取付構造は、外壁上端ファスナを外壁パネルの裏面側の上端部に固定するとともに、この外壁上端ファスナの上方に梁ファスナを配置し、上記外壁上端ファスナと上記梁ファスナとをジョイントボルト及びそれに螺合するナットで連結するとともに、上記梁ファスナを建物の梁の下部に固定することにより、上記梁下方で上記外壁パネルを上記梁に取り付ける一方、上記外壁パネルの裏面側の下端部の幅方向に沿って埋め込まれた断面略Ｃ字型のＣレールに、Ｃレール固定ボルトの係合部を移動自在に嵌合し、上記Ｃレール固定ボルトの雄ねじ部に、断面Ｌ字型の外壁下端ファスナをその裏面側に上記Ｃレールのリップを取り囲むように４つの突起が形成されてなる垂直部に設けた孔で嵌合してナットを螺合することにより固定するとともに、この外壁下端ファスナの水平部に設けた孔に、基礎の上面に固定された基礎上ファスナの垂直方向の軸部を上下動可能に嵌合したので、ジョイントボルトに対するナットの螺合位置を変更することにより、梁に対する外壁パネルの上下位置を容易に調整することが可能である。又、地震の際には、外壁パネルが梁を含む建物本体とは独立に振動することができるので、外壁パネルの剥離や離脱は生じにくい。
【００２４】
請求項２の梁下方の外壁パネルの取付構造は、請求項１の構成において、上記梁ファスナは、上記ジョイントボルト及びナットで外壁上端ファスナと連結される第１水平部と、第１水平部の一端から垂直に立ち上がる垂直部と、垂直部の上端から水平方向に折れ曲がり、上記梁の下部に接続される第２水平部とにより屈曲状に形成されたものであるから、ジョイントボルトやそれに螺合するナットを梁より下方に配置して、梁との干渉を回避することができる。
【図面の簡単な説明】
【図１】本発明の実施の形態の外壁パネルを有する住宅を示す概略斜視図。
【図２】上記外壁パネルを示す正面図。
【図３】上記外壁パネルの側面図。
【図４】上記外壁パネルの背面図。
【図５】上記外壁パネルの上端部の取付構造を示す側面図。
【図６】上記上端部の取付構造を示す斜視図。
【図７】上記上端部を梁に取り付けた状態を示す斜視図。
【図８】上記外壁パネルの下端部の支持構造を示す斜視図。
【図９】上記外壁パネルの下端部の支持構造を示す側面図。
【図１０】上記外壁パネルの下端部に取り付けられる外壁下端ファスナを示す斜視図。
【図１１】上記外壁パネルが層間変位に追従する様子を示す説明図。
【図１２】上記外壁パネルの下端部の支持構造の変形例を示す斜視図。
【符号の説明】
１ｂ  梁下パネル（外壁パネル）
６  Ｃレール
７  梁
８  外壁上端ファスナ
１０  梁ファスナ
１１  ジョイントボルト
１３  ナット
１６  基礎
１７  Ｃレール固定ボルト
１７ａ  係合部
１７ｂ  雄ねじ部
１８  外壁下端ファスナ
１８ａ  垂直部
１８ｂ  孔
１８ｃ  水平部
１８ｄ  孔
１８ｅ 突起
２０  ナット
２１  基礎上ファスナ
２１ａ  軸部
【図１】
0003555817.tif 000002
【図２】
0003555817.tif 000003
【図３】
0003555817.tif 000004
【図４】
0003555817.tif 000005
【図５】
0003555817.tif 000006
【図６】
0003555817.tif 000007
【図７】
0003555817.tif 000008
【図８】
0003555817.tif 000009
【図９】
0003555817.tif 000010
【図１０】
0003555817.tif 000011
【図１１】
0003555817.tif 000012
【図１２】
0003555817.tif 000013